(57)【要約】【課題】実伝送路にて運用される光送信器において、温度をはじめとする環境条件、部品の経年劣化などの要因により、変調状態が変動して信号品質が劣化することを抑える。【解決手段】光送信装置は、任意の変調方式の光信号を発生する光信号源と、光信号の繰り返し周波数と同じ周波数の駆動クロックを発出する駆動用クロック源と、駆動クロックを用いて前記光信号源からの光信号に位相変調を付加する位相変調器と、位相変調器からの出力光を送信用経路とモニタ用経路に分岐する光分波器と、光分波器からのモニタ用光を1つ以上の波長帯域にフィルタリングする光分岐手段と、光分岐手段にてフィルタリングされた波長帯域の透過光を受光する光検出手段と、駆動クロックの位相を調整する位相調整部と、駆動クロックの振幅を調整する振幅調整部と、最適なプリチャープを付加するよう位相調整部と振幅調整部を調整制御する制御手段と、を備えている。【選択図】      図１
2013207589.tif 000002
【特許請求の範囲】
【請求項１】
任意の変調方式の光信号を発生する光信号源と、
前記光信号の繰り返し周波数と同じ周波数の駆動クロックを発出する駆動用クロック源と、
前記駆動クロックを用いて前記光信号源からの光信号に位相変調を付加する位相変調器と、
前記位相変調器からの出力光を送信用経路とモニタ用経路に分岐する光分波器と、
前記光分波器からのモニタ用光を1つ以上の波長帯域にフィルタリングする光分岐手段と、
前記光分岐手段にてフィルタリングされた波長帯域の透過光を受光する光検出手段と、
前記駆動クロックの位相を調整する位相調整部と、
前記駆動クロックの振幅を調整する振幅調整部と、
最適なプリチャープを付加するよう前記位相調整部と前記振幅調整部を調整制御する制御手段と、
を備えた光送信装置。
【請求項２】
前記制御手段は、前記光検出手段から出力される結果を記憶するメモリ部を有することを特徴とする請求項１記載の光送信装置。
【請求項３】
前記光分岐手段は、１つ以上の波長帯域にフィルタリングするフィルタを備えたことを特徴とする請求項１又は２記載の光送信装置。
【請求項４】
前記光分岐手段に備えたフィルタは、可変フィルタであることを特徴とする請求項３記載の光送信装置。
【請求項５】
前記制御手段は、前記光検出手段のフィルタの受光パワーが相違する条件が位相ズレ要因の場合は、位相調整部に対して駆動クロックの位相を調整するよう制御することを特徴とする請求項１又は２記載の光送信装置。
【請求項６】
前記制御手段は、前記位相調整部に対して、フィルタ出力を前記メモリ部に記憶された初期値と同じになるように駆動クロックの位相を調整するよう制御することを特徴とする請求項１又は２記載の光送信装置。
【請求項７】
前記制御手段は、前記振幅調整部に対して駆動クロックの振幅を調整するよう制御することを特徴とする請求項１又は２記載の光送信装置。
【請求項８】
最適なプリチャープを付加するよう位相調整部と振幅調整部を調整制御する制御手段を備えた光送信装置の光送信方法であって、
前記制御手段は、前記振幅調整部に対して駆動クロックの振幅を調整するよう制御することを特徴とする光送信方法。
【請求項９】
最適なプリチャープを付加するよう位相調整部と振幅調整部を調整制御する制御手段を備えた光送信装置の光送信方法であって、
光検出手段のフィルタの受光パワーの相違する条件が位相ズレ要因の場合は、前記位相調整部に対して駆動クロックの位相を調整するよう制御し、次に、メモリ部に格納してある運用設置時のプリチャープ量を示す受光レベルと、調整時の受光レベルとを比較し、両者が同じになるように前記振幅調整部を調整することを特徴とする光送信方法。
【請求項１０】
最適なプリチャープを付加するよう位相調整部と前記振幅調整部を調整制御する制御手段を備えた光送信装置の光送信方法であって、
前記制御手段は、前記位相調整部に対して、光検出手段のフィルタ出力をメモリ部に記憶された初期値と同じになるように駆動クロックの位相を調整するよう制御することを特徴とする光送信方法。
【発明の詳細な説明】
【技術分野】
【０００１】
本発明は、光送信装置及び光送信方法に関し、特に非線形劣化要因が大きい場合に改善する光送信装置及び光送信方法に関する。
【背景技術】
【０００２】
近年のネットワーク利用の急激な増加により、光ファイバを用いたネットワークのより一層の大容量化の要求が高まっている。光ファイバ伝送において、プリチャープ技術は非線形劣化など伝送特性を改善させる技術として効果があり、実伝送システムに適用する送信機として安定的に動作する制御方法の実現が望まれている。
【０００３】
光ファイバ伝送において、伝送特性を改善させる技術として、特許文献１にあるように、強度変調された光信号に対して分散予等化を施し光信号の送信を行う提案がある。本文献の特徴は、分散予等化を施し光信号の送信を行うことである。
【０００４】
また、特許文献２には、波長ずれ量からチャーピングの符号及びチャープ量を検出し、適切なチャープ設定を可能とする装置が提案されている。
【先行技術文献】
【特許文献】
【０００５】
【特許文献１】特許２８８５６０３号公報
【特許文献２】特開２００４−８０３０５号公報
【発明の概要】
【発明が解決しようとする課題】
【０００６】
実伝送路にて運用される光送信機においては、温度をはじめとする環境条件、部品の経年劣化などの要因により、変調状態が変動して、信号品質が劣化するのでこれを抑える設計が必要である。
【０００７】
特許文献１では、ＮＲＺ（ノン・リターン・トウ・ゼロ）や、ＲＺ（リターン・トウ・ゼロ）信号にのみ、信号分散予等化を施しているが、他の信号については言及していない。
【０００８】
特許文献２では、光信号の立ち上がり、立ち下がり部分での波長ずれを検出し、チャーピングの符号及びチャープ量を検出している。
【０００９】
本発明の目的は、簡単な構成にて変調度または駆動クロックの位相ズレを自律補正して、安定なプリチャープ変調をする光送信機及び光送信方法を提供することにある。
【課題を解決するための手段】
【００１０】
上記課題を解決するために、本発明の光送信装置は、任意の変調方式の光信号を発生する光信号源と、光信号の繰り返し周波数と同じ周波数の駆動クロックを発出する駆動用クロック源と、駆動クロックを用いて光信号源からの光信号に位相変調を付加する位相変調器と、位相変調器からの出力光を送信用経路とモニタ用経路に分岐する光分波器と、光分波器からのモニタ用光を1つ以上の波長帯域にフィルタリングする光分岐手段と、光分岐手段にてフィルタリングされた波長帯域の透過光を受光する光検出手段と、駆動クロックの位相を調整する位相調整部と、駆動クロックの振幅を調整する振幅調整部と、最適なプリチャープを付加するよう位相調整部と振幅調整部を調整制御する制御手段と、を備えている。
【００１１】
上記課題を解決するために、本発明の光送信方法は、最適なプリチャープを付加するよう位相調整部と振幅調整部を調整制御する制御手段を備えた光送信装置の光送信方法であって、制御手段は、振幅調整部に対して駆動クロックの振幅を調整するよう制御することを特徴とする。
【００１２】
上記課題を解決するために、本発明の光送信方法は、最適なプリチャープを付加するよう位相調整部と振幅調整部を調整制御する制御手段を備えた光送信装置の光送信方法であって、光検出手段のフィルタの受光パワーの相違する条件が位相ズレ要因の場合は、位相調整部に対して駆動クロックの位相を調整するよう制御し、次に、メモリ部に格納してある運用設置時のプリチャープ量を示す受光レベルと、調整時の受光レベルとを比較し、両者が同じになるように振幅調整部を調整することを特徴とする。
【００１３】
上記課題を解決するために、本発明の光送信方法は、最適なプリチャープを付加するよう位相調整部と前記振幅調整部を調整制御する制御手段を備えた光送信装置の光送信方法であって、制御手段は、位相調整部に対して、光検出手段のフィルタ出力をメモリ部に記憶された初期値と同じになるように駆動クロックの位相を調整するよう制御することを特徴とする。
【発明の効果】
【００１４】
本発明によれば、高い信号品質が求められる光伝送装置及び光送信方法にて、簡単な構成で自律動作し、信号品質が安定したプリチャープ変調信号を伝送することが可能である。
【図面の簡単な説明】
【００１５】
【図１】本発明の第１の実施形態における基本構成を示すブロック図である。
【図２】本発明の第１の実施形態における位相変調器の出力光スペクトラムのピークと波長の関係を示すグラフである。
【図３】本発明の第１の実施形態におけるフォトダイオードの検出強度と駆動クロック振幅の関係を示した図である。
【図４】本発明の第１の実施形態における駆動クロックの位相ずれの状態を示した図である。
【図５】本発明の第１の実施形態におけるフォトダイオードの検出強度と駆動クロックの位相ずれ量の関係を示した図である。
【図６】本発明の第１の実施形態における調整方法を示すフローチャートである。
【図７】本発明の第２の実施形態における基本構成を示すブロック図である。
【図８】本発明の第２の実施形態における調整方法を示すフローチャートである。
【図９】本発明の第３の実施形態における基本構成を示すブロック図である。
【図１０】本発明の第３の実施形態における調整方法を示すフローチャートである。
【発明を実施するための形態】
【００１６】
以下、本発明の実施形態について図面を参照して詳細に説明する。
【００１７】
（第１の実施形態）
図１は、本発明の第１の実施形態における基本構成を示すブロック図である。本実施形態は、駆動クロックの振幅、位相をともに自律安定制御できる構成例である。
【００１８】
本実施形態の光送信装置は、ＮＲＺ、ＲＺ、ＰＳＫ（フェーズ・シフト・キーイング）信号ほか任意の変調方式にて光信号を発出する光信号源１０、駆動クロックを用いて光信号源からの光信号に位相変調を付加する位相変調器１４、光信号の繰り返し周波数と同周波数の駆動クロックを発出する駆動用クロック源１１、制御信号Ｙにて駆動クロックの位相を調整する位相調整部１２、制御信号Ｘにて駆動クロックの振幅を調整する振幅調整部１３を備えている。更に、本実施形態の光送信装置は、位相変調器１４からの出力光を送信用経路とモニタ用経路に分岐する光分波器１５、光分波器１５からのモニタ用光を波長帯域Ａ、Ｂ、Ｃに（Ａ、Ｂ、Ｃは、帯域は同じで、Ａを中心波長として、Ｂ及びＣは、上下に等間隔離れた波長）それぞれ狭帯域にフィルタリングするフィルタＦＩＬ-Ａ、ＦＩＬ-Ｂ、ＦＩＬ-Ｃを備えた光分岐手段１６を備えている。更に、本実施形態の光送信装置は、光分岐手段１６にてフィルタリングされた波長帯域Ａ、Ｂ、Ｃの透過光をそれぞれ受光するフォトダイオードＰＤ-Ａ、ＰＤ−Ｂ、ＰＤ−Ｃを備えた光検出手段１７を備えている。更に、本実施形態の光送信装置は、光検出手段１７からの結果に基づいて、制御信号Ｘ、制御信号Ｙを出力する制御手段１８を備えている。制御手段１８は、光検出手段１７からの結果を記憶するメモリ部１９を備えている。
【００１９】
光信号源１０からの任意周波数の光信号に、位相変調器１４を用いてプリチャープを付加し、光分波器１５にて伝送路への送信用経路とモニタ用経路に分岐する。分岐した光は、光分岐手段１６に内蔵された狭帯域フィルタにてフィルタリングされ、光検出手段１７で受信される。プリチャープを付加するために、駆動用クロック源１１から出力され、振幅調整部１３と位相調整部１２にて振幅と位相を調整された、駆動クロックを用いる。
【００２０】
次に、第１の実施形態の動作について、図２乃至図６を用いて説明する。
【００２１】
位相変調は、光信号源の繰返し周波数と同期したクロックを駆動するものとする。駆動クロックの振幅が高いほど、位相変調器１４の出力光スペクトラムは広がり、スペクトラムピークは下がる特性となる。図２は、位相変調器１４の出力光スペクトラムのピークと波長の関係を示すグラフである。縦軸は、出力光スペクトラムのレベル、横軸は、スペクトラムの波長である。図２のように、出力光スペクトラムが広がると、スペクトラムピークは、下がる特性となる。
【００２２】
また、駆動クロックの位相が変動すると送信スペクトラムの形状は図４のように変化してしまう。図４は、図２の透過帯域を持つフィルタに対して、駆動クロックの位相ズレの状態を示した図である。図４の縦軸は、出力光スペクトラムのレベル、横軸は、スペクトラムの波長である。駆動クロックの振幅、位相とも環境条件などの要因により変動してしまう場合、プリチャープ後の変調度やスペクトラム形状が変動してしまい一定の信号品質が得られない。そこで、ＰＤ−Ａ、Ｂ、Ｃの検出パワーの結果を元に制御信号Ｘ、Ｙを制御し、プリチャープの変調度の安定化を図る。
【００２３】
制御動作の詳細について説明をする。まず、駆動クロック振幅の変動があった場合、図２のようなスペクトラムの変動となる。同図Ｌ、Ｍ、Ｎの順で駆動クロック振幅が高くなっており、スペクトラムが広がり、中心波長のピークが下がる特性となる。このとき、ＰＤ−Ａ、Ｂ、Ｃにて受光する光パワーは、図３のように変化するものとする。図３は、駆動クロック振幅とＰＤの検出強度の関係を示すグラフである。ＰＤ−Ａは、スペクトラム中心波長をモニタしており、駆動クロック振幅が大きくなるほどＰＤ−Ａの入力レベルは低下する。この例では単純化するために、ＰＤ−Ａの受光パワーを線形グラフとして表しているが、その線形性は特に問わないものとする。一方ＦＩＬ−Ｂ、Ｃは、中心から任意間隔にて正側・負側に同間隔離して配置しており、駆動クロック振幅量に問わず、同じ受光パワーを検出する。図３では、図２の駆動クロック振幅が、Ｌ、Ｍ、Ｎの順に大きくなるとすると、ＰＤ−Ｂ、Ｃの受光パワーの駆動クロック振幅依存性のカーブは、Ｍの付近で頂点になるようなカーブを示す。図３に示すＰＤ−Ｂ、Ｃの受光パワーの駆動クロック振幅依存性のカーブは一例であり、当特性はピーク波長からの距離により形状は異なる。
【００２４】
次に、駆動クロックの位相ズレがおきた場合のスペクトラム変動について、図４を用いて説明する。図４は、正負片側に駆動クロック位相がずれた場合のスペクトラム例を記載しており、Ｏ、Ｐ、Ｑの順で同一方向のズレ量が大きいものとなっている。逆側のズレ量については同図の中心波長を軸に当Ｐ、Ｑを反転した特性となる。このときのＰＤ−Ａ、Ｂ、Ｃでの位相ズレ量と受光パワーの関係を図５に示す。図５の縦軸は、受光パワーの検出強度で横軸は、駆動クロックの位相ずれ量を示している。図５上でＰＤ−Ａでは、位相ズレ量０での受光パワーをピークとし、正負問わずズレ量が大きいほど受光パワーが下がる。一方、ＰＤ−Ｂ、Ｃはズレ量０を軸に対称の受光パワーのカーブとなる。ＰＤ−Ｂ、Ｃ受光パワーのカーブの形状は、ＦＩＬ−Ｂ、Ｃが中心波長から離れる距離やフィルタ幅による。
【００２５】
駆動クロックの振幅、位相ともに設定値からズレが生じている場合を例に、プリチャープ付加状態を安定制御するための方法例を図６のフローチャートにしたがって説明する。上記で説明した駆動クロックの振幅量、位相変動量、ＦＩＬ−Ａ、Ｂ、Ｃの受光パワーの関係性から、ＰＤ−ＢとＰＤ−Ｃの受光パワーが相違する条件は位相ズレ要因のみである。このため、制御としてまずＰＤ−Ｂ、Ｃ、それぞれの受光パワーを比較し(ステップ１０１)、同一となるよう制御信号Ｙを用いて、駆動クロックの位相を調整する(ステップ１０２、１０３)。次に、駆動クロック振幅の調整をおこなう。ＰＤ−ＢとＰＤ−Ｃの受光パワーを同一レベルに調整した後は、ＰＤ−Ａの受光レベルは、駆動クロック振幅量のみで決まるため、運用設置時の受光レベルをＰＤ−Ａｓに設定し、メモリ部１９に格納してある運用設置時のプリチャープ量ＰＤ−Ａｓと、ＰＤ−Ａの受光レベルとを比較し（ステップ１０４、１０５）、両者が同じになるように制御信号Ｘを用いて振幅調整すれば(ステップ１０６)、プリチャープ量を補正できる。
【００２６】
また、制御手段内のメモリ部を用いる代わりに、運用プリチャープ量ＰＤ−Ａｓに相当する初期固定値とＰＤ−Ａを比較し、両者が同じになるよう制御信号Ｘを出力する比較回路を用いても、プリチャープ量を補正することができる。
【００２７】
このように、簡単な構成で、変調度または駆動クロックの位相ズレを自律補正して、安定なプリチャープ量を補正可能である。
（第２の実施形態）
図７は、本発明の第２の実施形態における基本構成を示すブロック図である。
【００２８】
本実施形態の光送信装置は、ＮＲＺ、ＲＺ、ＰＳＫ信号ほか任意の変調方式にて光信号を発出する光信号源１０、駆動クロックを用いて光信号源からの光信号に位相変調を付加する位相変調器１４、光信号の繰り返し周波数と同周波数の駆動クロックを発出する駆動用クロック源１１、制御信号Ｙにて駆動クロックの位相を調整する位相調整部１２、制御信号Ｘにて駆動クロックの振幅を調整する振幅調整部１３を備えている。更に、本実施形態の光送信装置は、位相変調器１４からの出力光を送信用経路とモニタ用経路に分岐する光分波器１５、光分波器１５からのモニタ用光を波長帯域Ａ、Ｂ、Ｃに（Ａ、Ｂ、Ｃは、帯域は同じで、Ａを中心波長として、Ｂ及びＣは、上下に等間隔離れた波長）それぞれ狭帯域にフィルタリングするフィルタＦＩＬ-Ａ、ＦＩＬ-Ｂ、ＦＩＬ-Ｃを備えた光分岐手段１６を備えている。更に、本実施形態の光送信装置は、光分岐手段１６にてフィルタリングされた波長帯域Ａ、Ｂ、Ｃの透過光をそれぞれ受光するフォトダイオードＰＤ-Ａ、ＰＤ−Ｂ、ＰＤ−Ｃを備えた光検出手段１７を備えている。更に、本実施形態の光送信装置は、光検出手段１７からの結果に基づいて、制御信号Ｘ、制御信号Ｙを出力する制御手段２０を備えている。制御手段２０は、光検出手段１７からの結果を記憶するメモリ部２１を備えている。
【００２９】
光信号源１０からの任意周波数の光信号に、位相変調器１４を用いてプリチャープを付加し、光分波器１５にて伝送路への送信用経路とモニタ用経路に分岐する。分岐した光は、光分岐手段１６に内蔵された狭帯域フィルタにてフィルタリングされ、光検出手段１７で受信される。プリチャープを付加するために、振幅調整部１３と位相調整部１２にて振幅と位相を調整した、駆動用クロック源１１から出力された駆動クロックを用いる。
【００３０】
次に、第２の実施形態の動作について、図８を用いて説明する。図８は、本発明の第２の実施形態における調整方法を示すフローチャートである。
【００３１】
運用設置時のプリチャープ設定時のＰＤ−Ｂ、ＰＤ-Ｃの受光レベルの絶対値を（Ｌｂ０、Ｌｃ０）とし、制御手段２０に備えられているメモリ２１に記憶しておく。そして、光検出手段１７より入力した、現在のＰＤ−Ｂ、ＰＤ-Ｃの受光レベルの絶対値を（Ｌｂ１、Ｌｃ１）とする。まず、プリチャープ設定時のＰＤ−Ｂ、ＰＤ-Ｃの受光レベルの絶対値（Ｌｂ０、Ｌｃ０）を現在のＰＤ−Ｂ、ＰＤ-Ｃの受光レベルの絶対値（Ｌｂ１、Ｌｃ１）と比較する(ステップ２０１)。次に、Ｌｂ０＝Ｌｂ１、Ｌｃ０＝Ｌｃ１となるように制御信号Ｙを調整する（ステップ２０２）。ここでは、第１の実施形態の駆動クロック振幅の調整で、ＰＤ−ＢとＰＤ−Ｃの受光パワーを同一レベルに調整する代わりに、受光レベルの絶対値をプリチャープ設定時と現在の値とを合わせている。
【００３２】
そして、運用設置時のプリチャープ量ＰＤ−Ａｓと、ＰＤ−Ａの受光レベルとを比較し（ステップ２０３、２０４）、同じになるように制御信号Ｘを用いて振幅調整すれば(ステップ２０５)、プリチャープ量を補正できる。
【００３３】
このように、第２の実施形態では、受光レベルの絶対値を用いて、変調度または駆動クロックの位相ズレを自律補正して、安定なプリチャープ量を補正可能としている。
（第３の実施形態）
図９は本発明の第３の実施形態における基本構成を示すブロック図である。
【００３４】
本実施形態の光送信装置は、ＮＲＺ、ＲＺ、ＰＳＫ信号ほか任意の変調方式にて光信号を発出する光信号源１０、駆動クロックを用いて光信号源からの光信号に位相変調を付加する位相変調器１４、光信号の繰り返し周波数と同周波数の駆動クロックを発出する駆動用クロック源１１、制御信号Ｙにて駆動クロックの位相を調整する位相調整部１２、制御信号Ｘにて駆動クロックの振幅を調整する振幅調整部１３を備えている。更に、本実施形態の光送信装置は、位相変調器１４からの出力光を送信用経路とモニタ用経路に分岐する光分波器１５、光分波器１５からのモニタ用光を波長帯域Ａ、Ｂ、Ｃに（Ａ、Ｂ、Ｃは、帯域は同じで、Ａを中心波長として、Ｂ及びＣは、上下に等間隔離れた波長）合わせて、それぞれ狭帯域にフィルタリングする可変フィルタＦＩＬ−Ｋを備えた光分岐手段２２を備えている。更に、本実施形態の光送信装置は、光分岐手段２２にてフィルタリングされた透過光を受光するフォトダイオードＰＤ−Ｋを備えた光検出手段２３を備えている。更に、本実施形態の光送信装置は、光検出手段２２からの結果に基づいて、制御信号Ｘ、制御信号Ｙを出力する制御手段２４を備えている。制御手段２４は、光検出手段２３からの結果を記憶するメモリ部２５を備えている。
【００３５】
光信号源１０からの任意周波数の光信号に、位相変調器１４を用いてプリチャープを付加し、光分波器１５にて伝送路への送信用経路とモニタ用経路に分岐する。分岐した光は、光分岐手段２２に内蔵された狭帯域フィルタにてフィルタリングされ、光検出手段２３で受信される。光検出手段２３の出力を一旦、制御手段２４の中のメモリ部２５に格納する。プリチャープを付加するためには、振幅調整部１３と位相調整部１２にて振幅と位相を調整した、駆動用クロック源１１から出力された駆動クロックを用いる。
【００３６】
次に、第３の実施形態の動作について、図１０を用いて説明する。図１０は、本発明の第３の実施形態における調整方法を示すフローチャートである。
【００３７】
この第３の実施形態の動作は、第１の実施形態と同じで、制御として、まず可変フィルタＦＩＬ−Ｋから、ＰＤ−Ｂ、ＰＤ−Ｃの部分を取り出す。そして、それぞれの受光パワーを比較し(ステップ３０１)、同一となるよう制御信号Ｙを用いて、駆動クロックの位相を調整する(ステップ３０２、３０３)。次に、駆動クロック振幅の調整をおこなう。ＰＤ−ＢとＰＤ−Ｃの受光パワーを同一レベルに調整した後は、ＰＤ−Ａの受光レベルは、駆動クロック振幅量のみで決まるため、運用設置時の受光レベルを（ＰＤ−Ａｓ）に設定し、メモリ部２５に格納してある運用設置時のプリチャープ量ＰＤ−Ａｓと、ＰＤ−Ａの受光レベルとを比較し（ステップ３０４、３０５）、両者が同じになるように制御信号Ｘを用いて振幅調整すれば(ステップ３０６)、プリチャープ量を補正できる。
【００３８】
このように、簡単な構成で、変調度または駆動クロックの位相ズレを自律補正して、安定なプリチャープ量を補正可能である。
【００３９】
尚、本発明は、上述の実施の形態に限定されるものではなく、本発明の要旨を逸脱しない範囲で種々変更、変形して実施することが出来る。
【００４０】
たとえば、フィルタ数、ＰＤ数を増やせば、細かく調整でき、調整精度を上げられる。
【００４１】
また、光送信機の駆動クロックの振幅、位相、位相変調器の変調特性が安定している場合、ＦＩＬ-Ｂ、ＦＩＬ-Ｃや、ＰＤ−Ｂ、ＰＤ−Ｃを省略でき、ＰＤ−Ａの受光レベルのみで、プリチャープ量を補正可能である。
【００４２】
また、透過帯域幅の異なるフィルタ（ＦＩＬ-Ｂ’、ＦＩＬ-Ｃ’）を用いた場合でも、フォトダイオード（ＰＤ−Ｂ’、ＰＤ−Ｃ’）の出力差を透過帯域幅の差を考慮に入れて調整するようにすればよい。
【００４３】
このように、本発明によれば、簡単な構成で、変調度または駆動クロックの位相ズレを自律補正して、安定なプリチャープ量を補正可能である。
【産業上の利用可能性】
【００４４】
長距離光伝送システム等の非線形劣化要因条件が大きい光伝送システムに利用可能である。
【符号の説明】
【００４５】
１０    光信号源
１１    駆動用クロック源
１２    位相調整部
１３    振幅調整部
１４    位相変調器
１５    光分波器
１６    光分岐手段
１７    光検出手段
１８    制御手段
１９    メモリ部
２０    制御手段
２１    メモリ部
２２    光分岐手段
２３    光検出手段
２４    制御手段
２５    メモリ部
【図１】
2013207589.tif 000003
【図２】
2013207589.tif 000004
【図３】
2013207589.tif 000005
【図４】
2013207589.tif 000006
【図５】
2013207589.tif 000007
【図６】
2013207589.tif 000008
【図７】
2013207589.tif 000009
【図８】
2013207589.tif 000010
【図９】
2013207589.tif 000011
【図１０】
2013207589.tif 000012